(57)【特許請求の範囲】
【請求項１】
イーサネットワークに接続された複数のＰＯＳ端末と、前記複数のＰＯＳ端末のそれぞれに接続され、且つ該複数のＰＯＳ端末のそれぞれによる所用の管理処理に要するデータを蓄えた複数のディスク装置とを備えたＰＯＳ端末システムにおいて、前記複数のディスク装置は、それぞれ前記イーサネットワークにのみ接続されており、前記複数のＰＯＳ端末は、前記複数のディスク装置における自身に対応して備えられるものとは別のものに対して前記データの読み書きを行う代行処理を予め設定された代行処理用識別子に応じて実行すると共に、予め設定された代行処理解除用識別子に応じて該代行処理の実行を解除する制御部と、押下されると前記制御部による前記代行処理の実行として、前記複数のディスク装置における前記別のものに対して前記イーサネットワークを介してデータの読み書きを行わせるための操作指示入力用の代行処理キーと、押下されると前記制御部による前記代行処理の実行の解除として、前記複数のディスク装置における前記自身に対応して備えられるものに対して前記イーサネットワークを介してデータの読み書きを行わせる操作指示入力用の代行処理解除キーとをそれぞれ備えたことを特徴とするＰＯＳ端末システム。
【請求項２】
請求項１記載のＰＯＳ端末システムにおいて、前記代行処理用識別子及び前記代行処理解除用識別子はそれぞれ入力指示情報に対応する特定の制御コードに基づいて設定されるフラグであることを特徴とするＰＯＳ端末システム。
【発明の詳細な説明】
【０００１】
【発明の属する技術分野】
本発明は、主として飲食店等で用いられると共に、特定のＰＯＳ端末の運用中に異常が起こった場合に別のＰＯＳ端末で代行処理を行う代行処理機能を有するＰＯＳ端末システムに関する。
【０００２】
【従来の技術】
従来、この種のＰＯＳ端末システムとしては、例えば図３に示すような構成のものが挙げられる。
【０００３】
このＰＯＳ端末システムは、イーサネットワーク３に接続された２つのＰＯＳ端末１ｃ，１ｄと、これらのＰＯＳ端末１ｃ，１ｄのそれぞれに接続され、且つＰＯＳ端末１ｃ，１ｄのそれぞれによる所用の管理処理（単品管理，顧客管理，売上管理等が割り当てられる）に要するデータを蓄えた２つのディスク装置２ｃ，２ｄとを備えて成っている。
【０００４】
このＰＯＳ端末システムでは、ＰＯＳ端末１ｃ，１ｄの何れかが異常を起こすと、それに接続されたディスク装置２ｃ，２ｄの対応するものにおけるデータの読み書きを行う管理処理の動作が停止してしまい、管理処理が実行できなくなる。そこで、こうした場合には異常を来したＰＯＳ端末を修理することによって、再び管理処理の動作を行わせるようにしている。
【０００５】
具体的に云えば、ＰＯＳ端末１ｃが異常を来したとすると、ディスク装置２ｃのデータの読み書きによる管理処理の動作が不能になり、ＰＯＳ端末１ｄにおけるディスク装置２ｄのデータの読み書きによる管理処理しか実行できなくなり、逆にＰＯＳ端末１ｄが異常を来したとすると、ディスク装置２ｄのデータの読み書きによる管理処理の動作が不能になり、ＰＯＳ端末１ｃにおけるディスク装置２ｃのデータの読み書きによる管理処理しか実行できなくなる。
【０００６】
【発明が解決しようとする課題】
上述したＰＯＳ端末システムの場合、特定のＰＯＳ端末が異常を起こすとそのＰＯＳ端末に対応するディスク装置のデータの読み書きによる管理処理の動作が停止し、そのＰＯＳ端末が復旧されるまでの間は入力処理を行うことができず、その分の管理処理を実行できなくなるため、システム全体における管理処理の実行に支障を来し易いという問題がある。
【０００７】
本発明は、このような問題点を解決すべくなされたもので、その技術的課題は、特定のＰＯＳ端末が異常を起こしてもシステム全体に支障無く管理処理を実行し得るＰＯＳ端末システムを提供することにある。
【０００８】
【課題を解決するための手段】
本発明によれば、イーサネットワークに接続された複数のＰＯＳ端末と、複数のＰＯＳ端末のそれぞれに接続され、且つ該複数のＰＯＳ端末のそれぞれによる所用の管理処理に要するデータを蓄えた複数のディスク装置とを備えたＰＯＳ端末システムにおいて、複数のディスク装置は、それぞれイーサネットワークにのみ接続されており、複数のＰＯＳ端末は、複数のディスク装置における自身に対応して備えられるものとは別のものに対してデータの読み書きを行う代行処理を予め設定された代行処理用識別子に応じて実行すると共に、予め設定された代行処理解除用識別子に応じて該代行処理の実行を解除する制御部と、押下されると制御部による代行処理の実行として、複数のディスク装置における別のものに対してイーサネットワークを介してデータの読み書きを行わせるための操作指示入力用の代行処理キーと、押下されると制御部による代行処理の実行の解除として、複数のディスク装置における自身に対応して備えられるものに対してイーサネットワークを介してデータの読み書きを行わせる操作指示入力用の代行処理解除キーとをそれぞれ備えたＰＯＳ端末システムが得られる。
【０００９】
又、本発明によれば、上記ＰＯＳ端末システムにおいて、代行処理用識別子及び代行処理解除用識別子はそれぞれ入力指示情報に対応する特定の制御コードに基づいて設定されるフラグであるＰＯＳ端末システムが得られる。
【００１０】
【発明の実施の形態】
以下に実施例を挙げ、本発明のＰＯＳ端末システムについて、図面を参照して詳細に説明する。
【００１１】
図１は、本発明の一実施例に係るＰＯＳ端末システムをブロック図により示したものである。このＰＯＳ端末システムは、イーサネットワーク３に接続された２つのＰＯＳ端末１ａ，１ｂと、これらのＰＯＳ端末１ａ，１ｂのそれぞれによる所用の管理処理に要するデータを蓄えると共に、イーサネットワーク３だけにそれぞれ接続された２つのディスク装置２ａ，２ｂとから成っている。即ち、このＰＯＳ端末システムでは、２つのＰＯＳ端末１ａ，１ｂと２つのディスク装置２ａ，２ｂとがそれぞれイーサネットワーク３にだけ接続されている。
【００１２】
ここで、ＰＯＳ端末１ａ，１ｂは、ディスク装置２ａ，２ｂにおける自身に対応して備えられるものとは別のものに対してデータの読み書きを行う代行処理を予め設定された代行処理用識別子に応じて実行すると共に、予め設定された代行処理解除用識別子に応じて代行処理の実行を解除する制御部４ａ，４ｂと、押下されると制御部４ａ，４ｂによる代行処理の実行として、各ディスク装置２ａ，２ｂにおける別のものに対してイーサネットワーク３を介してデータの読み書きを行わせるための操作指示入力用の代行処理キー５ａ，５ｂと、押下されると制御部４ａ，４ｂによる代行処理の実行の解除として、各ディスク装置２ａ，２ｂにおける自身に対応して備えられるものに対してイーサネットワーク３を介してデータの読み書きを行わせる操作指示入力用の代行処理解除キー６ａ，６ｂとをそれぞれ備えている。
【００１３】
これらの制御部４ａ，４ｂにおいて、代行処理用識別子及び代行処理解除用識別子はそれぞれ入力指示情報に対応する特定の制御コードに基づいて設定される０，１，３，…，等のフラグとなっている。このため、ＰＯＳ端末１ａ，１ｂのキーボード内に設けられた代行処理キー５ａ，５ｂと代行処理解除キー６ａ，６ｂとは、それぞれ制御部４ａ，４ｂに対する入力指示情報として代行処理用識別子のフラグ，代行処理解除用識別子のフラグを立てることができるようになっている。
【００１４】
従って、このＰＯＳ端末システムでは、ＰＯＳ端末１ａ，１ｂにおける代行処理キー５ａ，５ｂを押下して代行処理を指示すれば、制御部４ａ，４ｂによってイーサネットワーク３を介してディスク装置２ａ，２ｂにおけるそれ自身に対応するものとは別のもの（代行処理キー５ａの押下に際してはディスク装置２ｂ，代行処理キー５ｂの押下に際してはディスク装置２ａ）のデータの読み書きを行って代行処理による管理処理の動作を行う。
【００１５】
又、代行処理解除キー６ａ，６ｂを押下して代行処理を解除した通常状態を指示すれば、制御部４ａ，４ｂによってイーサネットワーク３を介してディスク装置２ａ，２ｂにおけるそれ自身に対応するもの（代行処理解除キー６ａの押下に際してはディスク装置２ａ，代行処理解除キー６ｂの押下に際してはディスク装置２ｂ）のデータの読み書きを行って通常の管理処理の動作を行う。
【００１６】
図２は、ＰＯＳ端末システムの代行処理機能に係るアクセス動作を説明するために示した機能ブロック図である。
【００１７】
ここでは、ＰＯＳ端末１ａが故障しており、ＰＯＳ端末１ａでは通常の管理処理の動作や代行処理による管理処理の動作が不能になっている場合、ＰＯＳ端末１ｂにおける代行処理キー５ｂを押下して制御コードを入力し、制御部４ｂによる代行処理の実行を指示すれば、制御部４ｂではディスク装置２ａへアクセスするための制御コードに応じた固有なフラグが立てられることによって代行処理を実行し、イーサネットワーク３を介してディスク装置２ａのデータの読み書きを行って代行処理による管理処理の動作Ｍ−Ｘが行われることを示している。
【００１８】
又、ＰＯＳ端末１ｂにおける代行処理解除キー６ｂを押下して制御コードを入力し、制御部４ｂによる代行処理の実行解除を指示すれば、制御部４ｂではディスク装置２ｂへアクセスするための制御コードに応じた固有なフラグが立てられることによって通常状態に移行し、イーサネットワーク３を介してディスク装置２ｂのデータの読み書きを行って通常の管理処理の動作Ｍ−Ｎが行われることを示している。
【００１９】
このような代行処理機能を有するＰＯＳ端末システムでは、特定のＰＯＳ端末１ａの故障によって従来では破棄されていたディスク装置２ａのデータを別のＰＯＳ端末１ｂから読み書きを行って代行処理するため、ＰＯＳ端末１ａが異常を起こしてもシステム全体に支障無く管理処理を実行できる上、修理・復旧を要するのはＰＯＳ端末１ａの故障だけとなる。
【００２０】
尚、上述した一実施例のＰＯＳ端末システムでは、２つのＰＯＳ端末１ａ，１ｂと、これらのＰＯＳ端末１ａ，１ｂに対応する２つのディスク装置２ａ，２ｂとがイーサネットワーク３に接続された構成として説明したが、ＰＯＳ端末及びディスク装置の数は３つ以上であっても良い。
【００２１】
【発明の効果】
以上に述べた通り、本発明のＰＯＳ端末システムによれば、特定のＰＯＳ端末の故障によって従来では破棄されていたその故障したＰＯＳ端末に対応するディスク装置のデータを別のＰＯＳ端末から読み書きを行って代行処理するため、特定のＰＯＳ端末が異常を起こしてもシステム全体に支障無く管理処理を実行できる上、修理・復旧を要するのは故障したＰＯＳ端末だけとなり、故障したＰＯＳ端末の修理・復旧後にはそのＰＯＳ端末に対応するディスク装置のデータの復旧を行うこと無く、通常通りに管理処理を実行できるようになる。
【図面の簡単な説明】
【図１】  本発明の一実施例に係るＰＯＳ端末システムの基本構成を示したブロック図である。
【図２】  図１に示すＰＯＳ端末システムの代行処理機能に係るアクセス動作を説明するために示した機能ブロック図である。
【図３】  従来のＰＯＳ端末システムの基本構成を示したブロック図である。
【符号の説明】
１ａ，１ｂ，１ｃ，１ｄ    ＰＯＳ端末
２ａ，２ｂ，２ｃ，２ｄ    ディスク装置
３    イーサネットワーク
４ａ，４ｂ    制御部
５ａ，５ｂ    代行処理キー
６ａ，６ｂ    代行処理解除キー
【図１】
0003934735.tif 000002
【図２】
0003934735.tif 000003
【図３】
0003934735.tif 000004